(57)【要約】【課題】ある処理プログラムやパラメータ等といった、処理内容を定義した情報に従ってデータ処理を実行する処理装置と、そのような情報の保管元との間で情報を仲介して、処理装置における情報の更新や追加を容易に実現することができる仲介装置、撮影装置、および仲介プログラムを提供する。【解決手段】処理装置２００に対し、内容が所定内容に決められたデータ処理の実行を指示する赤外線通信部１３６と、上記所定内容と同じ内容を定義した処理定義を、複数種類の処理定義を保管したサーバ３００から取得する情報取得部１３３とを備え、処理装置２００に対し、上記所定内容と同じ内容を定義した処理定義を記憶しているか否かの問い合せを問合せ部１３７によって行ない、問合せの結果、処理装置２００が上記の処理定義を記憶していない場合には、情報取得部１３３によって取得された処理定義を処理装置２００に赤外線通信部１３６で送信する。【選択図】        図５
2005339235.tif 000002
【特許請求の範囲】
【請求項１】
データ処理の内容を定義した処理定義を記憶し、その処理定義が定義した内容のデータ処理を処理対象のデータに施す処理装置に対し、内容が所定内容に決められたデータ処理の実行を無線で指示する指示部と、
前記所定内容と同じ内容を定義した処理定義を、複数種類の処理内容それぞれを定義した複数の処理定義を保管した保管元から無線で取得する定義取得部と、
前記処理装置に対し、前記所定内容と同じ内容を定義した処理定義を記憶しているか否かの問い合せを無線で行なう問合せ部と、
前記問合せ部による問合せの結果、前記処理装置が、前記所定内容と同じ内容を定義した処理定義を記憶していない場合には、前記定義取得部によって取得された処理定義を該処理装置に無線で送って記憶させる定義送信部とを備えたことを特徴とする仲介装置。
【請求項２】
この仲介装置が、前記処理装置によってデータ処理を施されるデータを生成し、生成されたデータを該処理装置に送信するデータ生成装置に組み込まれたものであり、
前記保管元が、前記データ生成装置の複数の機種それぞれに対応した複数の処理内容それぞれを定義した複数の処理定義を保管するものであり、
前記指示部が、この仲介装置が組み込まれたデータ生成装置が生成して送信したデータに対するデータ処理の実行を指示するものであり、
前記定義取得部が、この仲介装置が組み込まれたデータ生成装置の機種に対応した処理定義を前記保管元から取得するものであることを特徴とする請求項１記載の仲介装置。
【請求項３】
前記処理装置が、データ処理の内容と該データ処理の手順との双方を定義した処理プログラムを記憶し、その処理プログラムに従ってデータ処理を実行するものであり、
前記保管元が、互いに異なる内容を定義した複数種類の処理プログラムを保管するものであり、
前記定義取得部が、前記所定内容と同じ内容を定義した処理プログラムを前記保管元から取得するものであり、
前記問合せ部が、前記処理装置に対し、前記所定内容と同じ内容を定義した処理プログラムを記憶しているか否かの問い合わせを行なうものであり、
前記定義送信部が、前記処理装置が、前記所定内容と同じ内容を定義した処理プログラムを記憶していない場合には、前記定義取得部によって取得された処理プログラムを該処理装置に送って記憶させるものであることを特徴とする請求項１記載の仲介装置。
【請求項４】
前記指示部が、複数の処理内容から１つの処理内容を前記所定内容として選択する選択操作を受けて、その選択された処理内容のデータ処理の実行を指示するものであることを特徴とする請求項３記載の仲介装置。
【請求項５】
前記指示部が、処理内容を調整する調整操作を受けて、その調整された内容のデータ処理の実行を指示するものであることを特徴とする請求項３記載の仲介装置。
【請求項６】
被写体光を捉えて被写体画像を表わす画像データを生成する撮影部と、
画像処理の内容を定義した処理定義を記憶して該処理定義が定義した内容の画像処理を画像データに施す画像処理装置に、前記撮影部によって生成された画像データを無線で送信する画像データ送信部と、
前記画像処理装置に対し、前記撮影部によって生成される画像データに対する画像処理として内容が所定内容に決められた画像処理の実行を無線で指示する指示部と、
前記所定内容と同じ内容を定義した処理定義を、複数種類の処理内容それぞれを定義した複数の処理定義を保管した保管元から無線で取得する定義取得部と、
前記画像処理装置に対し、前記所定内容と同じ内容を定義した処理定義を記憶しているか否かの問い合せを無線で行なう問合せ部と、
前記問合せ部による問合せの結果、前記画像処理装置が、前記所定内容と同じ内容を定義した処理定義を記憶していない場合には、前記定義取得部によって取得された処理定義を該画像処理装置に無線で送って記憶させる定義送信部とを備えたことを特徴とする撮影装置。
【請求項７】
無線で通信する通信機能を有するコンピュータで実行され、該コンピュータ上で、
データ処理の内容を定義した処理定義を記憶し、その処理定義が定義した内容のデータ処理を処理対象のデータに施す処理装置に対し、内容が所定内容に決められたデータ処理の実行を無線で指示する指示部と、
前記所定内容と同じ内容を定義した処理定義を、複数種類の処理内容それぞれを定義した複数の処理定義を保管した保管元から無線で取得する定義取得部と、
前記処理装置に対し、前記所定内容と同じ内容を定義した処理定義を記憶しているか否かの問い合せを無線で行なう問合せ部と、
前記問合せ部による問合せの結果、前記処理装置が、前記所定内容と同じ内容を定義した処理定義を記憶していない場合には、前記定義取得部によって取得された処理定義を該処理装置に無線で送って記憶させる定義送信部とを構築することを特徴とする仲介プログラム。
【発明の詳細な説明】
【技術分野】
【０００１】
本発明は、ある処理プログラムやパラメータ等といった、処理内容を定義した情報に従ってデータ処理を実行する処理装置と、そのような情報の保管元との間で、情報を仲介する仲介装置、通信機能を有するコンピュータを上記の仲介装置として動作させる仲介プログラム、および撮影によって画像データを得て、その画像データに施すデータ処理について上記のような情報を仲介する撮影装置に関する。
【背景技術】
【０００２】
従来、携帯電話の多機能化が進む中、撮影によって画像を表わす画像データを得るデジタルカメラの機能が搭載された携帯電話が広く普及している。また、これを受けて、このような携帯電話で得た画像データを、パーソナルコンピュータやモバイルコンピュータ等といった周辺機器を介さずに、携帯電話から有線あるいは無線のデータ通信によって手軽に取得して、その画像データが表わす画像をプリントする、携帯電話向けのプリンタが提案されている（例えば、特許文献１参照。）。
【特許文献１】特開２００３−２４１９１１号公報（段落番号００１８−段落番号００５４、図１および図４）
【発明の開示】
【発明が解決しようとする課題】
【０００３】
さらに、近年では、赤外線によってデータの送受信を手軽に行なう赤外線通信機能が搭載された携帯電話が登場するにおよんで、このような赤外線通信機能が搭載された携帯電話から送信されてきた画像データを受信してその画像データが表わす画像をプリントする、ユーザが携帯電話と一緒に携帯して持ち運べるいわゆるモバイル型のプリンタも提案されて、携帯電話で得た画像データが表わす画像を一層手軽にプリントできるようになってきている。このようなモバイル型のプリンタには、受信した画像データが表わす画像の階調を、人が一般的に好ましいと感じる階調に補正する階調補正処理を施す機能を備えていることが多い。
【０００４】
ところで、上記のような撮影機能付の携帯電話で得られる画像データが表わす画像の階調は、撮影に使用された携帯電話の機種毎に硬さが互いに異なることが知られており、このような画像の階調を補正する際には、撮影に使用された携帯電話の機種に応じたパラメータを用いた階調補正処理が望ましいとされている。そこで、例えば上記のような階調補正処理機能を有するモバイル型のプリンタには、工場出荷時には、携帯電話の複数の典型的な機種それぞれに対応したパラメータが記憶され、これら典型的な機種の携帯電話で得られた画像データに対応できるようになっている。
【０００５】
しかしながら、近年では、携帯電話に関する技術的な進歩はめまぐるしく、数ヶ月おきに新しい機種の携帯電話が市場に提供される等といった事態が生じており、上記のモバイル型のプリンタにおいては、プリンタに記憶された典型的な機種に対応したパラメータだけではとても対応しきれなくなってきている。一方で、次々と市場に提供される新機種の携帯電話については、その新機種に対応した例えば階調補正処理等といった画像補正処理用のパラメータが、各機種の携帯電話のメーカ等が管理する、インターネット等といった通信ネットワークに接続された所定のサーバに保管されている。つまり、上記のモバイル型のプリンタにおいて携帯電話の新機種に対応するには、このサーバからプリンタに新機種に対応したパラメータをダウンロードしなければならない。
【０００６】
また、画像データに対する画像処理には、プリント写真に対する観賞上の効果を狙って故意にフォーカスをずらすソフトフォーカス等といった多分に娯楽的な要素を含んだ処理が多くある。上記のモバイル型のプリンタには、上述したような画質向上のための画像処理に加えて、このような娯楽的な画像処理も実行する機能を有するものがある。通常、メモリ容量に制限がある多くのモバイル型のプリンタには、工場出荷時には、このような娯楽的な画像処理のうちの典型的な数種類の画像処理を実行するための処理プログラムが搭載されているに留まっている。一方で、上記の娯楽的な画像処理は、上述した携帯電話の機種と同様に、次々と新しい処理が考え出され、それら新しい処理を実行するための処理プログラムが市場に提供されるようになってきている。このような処理プログラムは、その処理プログラムを開発したメーカ等が管理する、インターネット等といった通信ネットワークに接続されたサーバに保管されており、上記のモバイル型のプリンタにおいてこれら新しい画像処理を実行するには、このサーバからプリンタに処理プログラムをダウンロードしなければならない。
【０００７】
しかしながら、上記のダウンロードを自動的に実行する等といった機能をモバイル型のプリンタに付加すると、その機能の分だけプリンタが大型化したり、あるいはその機能に必要な分だけプリンタ内のメモリが占有されてしまい、モバイル型のプリンタに本来望まれる形態が阻害される等といった問題が生じてしまう。
【０００８】
ここで、上記では、撮影機能を有する携帯電話に対応したモバイル型のプリンタを使用する場合についての問題点を説明したが、このような問題点は上記のモバイル型のプリンタを使用する場合に限るものではなく、処理対象のデータに対してデータ処理を施す処理装置全般を使用する場合に共通に生じる問題点である。また、生活環境中に多数の小型コンピュータを配置するユビキタス・コンピューティングの実現や運用の際にも、上述した問題点は生じると考えられる。
【０００９】
本発明は、上記事情に鑑み、ある処理プログラムやパラメータ等といった、処理内容を定義した情報に従ってデータ処理を実行する処理装置と、そのような情報の保管元との間で情報を仲介して、処理装置における情報の更新や追加を容易に実現することができる仲介装置、撮影画像のデータ処理を処理装置に容易に実行させるとともに、そのデータ処理について上記のような情報を容易に更新／追加することができる撮影装置、および通信機能を有するコンピュータを上記の仲介装置として動作させる仲介プログラムを提供することを目的とするものである。
【課題を解決するための手段】
【００１０】
上記目的を達成する本発明の仲介装置は、データ処理の内容を定義した処理定義を記憶し、その処理定義が定義した内容のデータ処理を処理対象のデータに施す処理装置に対し、内容が所定内容に決められたデータ処理の実行を無線で指示する指示部と、
上記所定内容と同じ内容を定義した処理定義を、複数種類の処理内容それぞれを定義した複数の処理定義を保管した保管元から無線で取得する定義取得部と、
上記処理装置に対し、上記所定内容と同じ内容を定義した処理定義を記憶しているか否かの問い合せを無線で行なう問合せ部と、
上記問合せ部による問合せの結果、上記処理装置が、上記所定内容と同じ内容を定義した処理定義を記憶していない場合には、上記定義取得部によって取得された処理定義をその処理装置に無線で送って記憶させる定義送信部とを備えたことを特徴とする。
【００１１】
ここで、上記定義取得部が上記所定内容と同じ内容を定義した処理定義を取得する時点は、上記問合せ部による問合せの前であってもよく後であっても良い。
【００１２】
本発明の仲介装置によれば、ユーザは、上記データ処理の実行を上記指示部によって指示することにより、上記保管元から上記処理装置への上記処理定義のダウンロード等といった仲介作業を意識することなく、上記処理装置に上記データ処理を実行させることができる。つまり、本発明の仲介装置によれば、上記の仲介作業を、一般ユーザに煩わしさを感じさせることなく手軽に実行することができる。
【００１３】
ここで、本発明の仲介装置において、「この仲介装置が、上記処理装置によってデータ処理を施されるデータを生成し、生成されたデータをその処理装置に送信するデータ生成装置に組み込まれたものであり、
上記保管元が、上記データ生成装置の複数の機種それぞれに対応した複数の処理内容それぞれを定義した複数の処理定義を保管するものであり、
上記指示部が、この仲介装置が組み込まれたデータ生成装置が生成して送信したデータに対するデータ処理の実行を指示するものであり、
上記定義取得部が、この仲介装置が組み込まれたデータ生成装置の機種に対応した処理定義を上記保管元から取得するものである」という形態は好ましい形態である。
【００１４】
ここで、上記の「データ生成装置」としては、例えば近年次々と新機種が開発されている、撮影機能が搭載され、機種に特有な硬さの階調を有する画像を撮影によって得る携帯電話等が考えられる。
【００１５】
上記の好ましい形態の仲介装置によれば、そのようなデータ生成装置の機種に依存した処理定義が仲介され、処理の機種対応等が容易に実現される。
【００１６】
また、本発明の仲介装置は、「上記処理装置が、データ処理の内容とそのデータ処理の手順との双方を定義した処理プログラムを記憶し、その処理プログラムに従ってデータ処理を実行するものであり、
上記保管元が、互いに異なる内容を定義した複数種類の処理プログラムを保管するものであり、
上記定義取得部が、上記所定内容と同じ内容を定義した処理プログラムを上記保管元から取得するものであり、
上記問合せ部が、上記処理装置に対し、上記所定内容と同じ内容を定義した処理プログラムを記憶しているか否かの問い合わせを行なうものであり、
上記定義送信部が、上記処理装置が、上記所定内容と同じ内容を定義した処理プログラムを記憶していない場合には、上記定義取得部によって取得された処理プログラムをその処理装置に送って記憶させるものである」という形態も好ましい形態である。
【００１７】
この好ましい形態の仲介装置によれば、上記処理プログラムが仲介され、例えば新しい処理プログラムが開発された際の上記処理装置に対する処理プログラムの自動更新等といった運用が容易に実現される。
【００１８】
また、この好ましい形態の仲介装置において、「上記指示部が、複数の処理内容から１つの処理内容を上記所定内容として選択する選択操作を受けて、その選択された処理内容のデータ処理の実行を指示するものである」という形態は、さらに好ましい形態である。
【００１９】
このさらに好ましい形態の仲介装置によれば、ユーザは、所望の内容のデータ処理を指定することができる。
【００２０】
さらに、上記の好ましい形態の仲介装置において、「上記指示部が、処理内容を調整する調整操作を受けて、その調整された内容のデータ処理の実行を指示するものである」という形態も、さらに好ましい形態である。
【００２１】
このさらに好ましい形態の仲介装置によれば、ユーザは、上記処理装置に、データ処理の内容を、例えば所望の強度等に調整して実行させることができる。
【００２２】
また、上記目的を達成する本発明の撮影装置は、被写体光を捉えて被写体画像を表わす画像データを生成する撮影部と、
画像処理の内容を定義した処理定義を記憶してその処理定義が定義した内容の画像処理を画像データに施す画像処理装置に、上記撮影部によって生成された画像データを無線で送信する画像データ送信部と、
上記画像処理装置に対し、上記撮影部によって生成される画像データに対する画像処理として内容が所定内容に決められた画像処理の実行を無線で指示する指示部と、
上記所定内容と同じ内容を定義した処理定義を、複数種類の処理内容それぞれを定義した複数の処理定義を保管した保管元から無線で取得する定義取得部と、
上記画像処理装置に対し、上記所定内容と同じ内容を定義した処理定義を記憶しているか否かの問い合せを無線で行なう問合せ部と、
上記問合せ部による問合せの結果、上記画像処理装置が、上記所定内容と同じ内容を定義した処理定義を記憶していない場合には、上記定義取得部によって取得された処理定義をその画像処理装置に無線で送って記憶させる定義送信部とを備えたことを特徴とする。
【００２３】
本発明の撮影装置によれば、例えば、撮影部の特性に応じた階調補正処理や、所望の視覚的効果が得られる画像処理を上記画像処理装置に手軽に実行させることができる。
【００２４】
また、上記目的を達成する本発明の仲介プログラムは、無線で通信する通信機能を有するコンピュータで実行され、そのコンピュータ上で、
データ処理の内容を定義した処理定義を記憶し、その処理定義が定義した内容のデータ処理を処理対象のデータに施す処理装置に対し、内容が所定内容に決められたデータ処理の実行を無線で指示する指示部と、
上記所定内容と同じ内容を定義した処理定義を、複数種類の処理内容それぞれを定義した複数の処理定義を保管した保管元から無線で取得する定義取得部と、
上記処理装置に対し、上記所定内容と同じ内容を定義した処理定義を記憶しているか否かの問い合せを無線で行なう問合せ部と、
上記問合せ部による問合せの結果、上記処理装置が、上記所定内容と同じ内容を定義した処理定義を記憶していない場合には、上記定義取得部によって取得された処理定義をその処理装置に無線で送って記憶させる定義送信部とを構築することを特徴とする。
【００２５】
本発明の仲介プログラムによれば、上記処理定義の仲介作業を手軽に実行できる仲介装置を容易に実現することができる。
【００２６】
なお、本発明にいう仲介プログラムについては、ここではその基本形態を示すのにとどめるが、これは単に重複を避けるためであり、本発明にいう仲介プログラムには、これらの形態のみではなく、前述した仲介装置の各形態に対応する各種の形態が含まれる。
【発明の効果】
【００２７】
以上、説明したように、本発明によれば、ある処理プログラムやパラメータ等といった、処理内容を定義した情報に従ってデータ処理を実行する処理装置と、そのような情報の保管元との間で、情報を手軽に仲介することができる仲介装置、通信機能を有するコンピュータを上記の仲介装置として動作させる仲介プログラム、および撮影によって画像データを得て、その画像データに施すデータ処理について上記のような情報を手軽に仲介することができる撮影装置を提供することができる。
【発明を実施するための最良の形態】
【００２８】
以下図面を参照して本発明の実施の形態を説明する。
【００２９】
図１および図２は、本発明の一実施形態である携帯電話の、それぞれ表面および裏面を示す斜視図である。ここで、図１および図２に示す携帯電話１００には、本発明の仲介装置の一実施形態が組み込まれており、この携帯電話１００は、本発明にいう「データ生成装置」と、本発明の撮影装置の一実施形態との双方を兼ねた一例に相当する。
【００３０】
この携帯電話１００は、上部１１０と下部１２０とからなり、折り畳み式となっている。
【００３１】
この携帯電話１００の上部１１０には、表示画面１１１、音声再生口１１２、アンテナ１１３、裏面に配備されたカメラ用撮影レンズ１１４、および赤外線通信用に裏面に配備された赤外線送受部１１５が備えられており、下部１２０には操作キー１２１や音声入力口１２２が備えられている。
【００３２】
この携帯電話１００は、ユーザの操作を受けて、カメラ用撮影レンズ１１４を有する後述の撮影部によって被写体を撮影し、Ｒ（Ｒｅｄ），Ｇ（Ｇｒｅｅｎ），Ｂ（Ｂｌｕｅ）３色でカラー画像を表わす画像データを生成することができる。さらに、この携帯電話１００は、ユーザの操作を受けて、その画像データを後述のモバイルプリンタに赤外線送受部１１５から赤外線通信によって送信することもできる。また、この赤外線送受部１１５では、後述するようにモバイルプリンタから赤外線通信によって送信されてくるデータの受信も行なわれる。
【００３３】
この携帯電話１００の詳細については後述し、この携帯電話１００から送信されてきた画像データに基づいて画像をプリントするモバイルプリンタについて説明する。
【００３４】
図３は、モバイルプリンタを、斜め前方から見た斜視図を、図１および図２にも示す携帯電話とともに示す図である。この図３に示すモバイルプリンタ２００が、本発明にいう処理装置の一例に相当する。
【００３５】
図３に示すモバイルプリンタ２００は、携帯電話１００から赤外線通信によって送信されてきた画像データに基づいて、その画像データが表わす画像をインスタントフィルム上にプリントするものである。また、ユーザが、１度プリントした画像の再プリントを所望した時には、このモバイルプリンタ２００は、その画像を表わす画像データを携帯電話１００からわざわざ再送信してもらわなくても、ユーザから後述のような簡単な操作を受けることによって再プリントを行なうことができる。
【００３６】
このモバイルプリンタ２００は小型で軽量な装置であり、図３に示すように、ユーザはこのモバイルプリンタ２００と携帯電話１００との双方を手に持って画像のプリントを行なうことができる。このモバイルプリンタ２００の筐体２００ａ内にインスタントフィルムのパックが装填され、プリントの際にはこのパックからインスタントフィルムが一枚ずつ取り出されて画像がプリントされる。
【００３７】
モバイルプリンタ２００の筐体２００ａの上面には、このモバイルプリンタ２００の電源の投入および遮断を指示する電源スイッチ２０１と、上記の再プリントを指示する再プリントスイッチ２０２と、上記のパック内のインスタントフィルムの残数等といった情報が表示されるＬＣＤパネル２０３が設けられている。また、筐体２００ａの端部には、携帯電話１００から赤外線通信によって送信されてきた画像データを受信するとともに、携帯電話１００に向けて後述のデータを赤外線通信によって送信する赤外線送受部２０４が設けられている。
【００３８】
図４は、図３にも示すモバイルプリンタから、インスタントフィルム上に画像がプリントされながら、そのインスタントフィルムが排出される様子を示す図である。
【００３９】
このモバイルプリンタ２００では、携帯電話１００から赤外線通信によって送信されてきた画像データが赤外線送受部２０４によって受信されると、別図に示す画像処理部においてその画像データに所定の画像処理が施される。この画像処理については後述する。画像処理が終了すると、処理済の画像データに基づいてインスタントフィルム１００１上にプリントが実行されるとともに、そのインスタントフィルム１００１が排出される。また、プリントが実行された後に、再プリントスイッチ２０１がユーザによって押されると、直前にプリントされた画像と同じ画像が別のインスタントフィルム１００１にプリントされる。
【００４０】
以上で、本発明の一実施形態である携帯電話１００、および、その携帯電話１００とともに用いられるモバイルプリンタ２００の概要についての説明を終了する。ここで、携帯電話１００における本発明としての特徴は、モバイルプリンタ２００で実行される画像処理に関わる各種の情報を、それらの情報が保管されているサーバとモバイルプリンタとの間で仲介する仲介機能にある。以下では、主に、本実施形態の携帯電話のブロック図を参照しながら、この仲介機能について説明する。また、以下の説明では、図１〜図４に示す要素を、図番を特に断らずに図中の符号を使って適宜に参照する。
【００４１】
図５は、図１および図２に示す携帯電話の内部構成を、図３および図４に示すモバイルプリンタや、モバイルプリンタで実行される画像処理に関わる情報が保管されるサーバの簡易的な構成とともに示すブロック図である。
【００４２】
上記のように、図５には、携帯電話１００とモバイルプリンタ２００とサーバ３００とが示されている。ここで、サーバ３００は、本発明にいう保管元の一例に相当する。
【００４３】
まず、モバイルプリンタ２００の内部構成について説明する。
【００４４】
モバイルプリンタ２００は、コントローラ２１１と、赤外線通信部２１２と、画像処理部２１３と、フラッシュメモリ２１４と、プリント部２１５とを有している。
【００４５】
モバイルプリンタ２００のコントローラ２１１では、以下に説明する各要素の動作制御が実行される。
【００４６】
モバイルプリンタ２００の赤外線通信部２１２は上述の赤外線送受部２０４を備えており、この赤外線通信部２１２では、携帯電話１００から赤外線通信によって送信されてくる画像データの受信が実行される。また、その画像データに画像処理部２１３が施す画像処理に関わる各種情報の携帯電話１００とのやりとりも行なわれる。この各種情報については後述する。
【００４７】
モバイルプリンタ２００の画像処理部２１３では、赤外線通信部２１２で受信された画像データに次のような画像処理が施される。
【００４８】
まず、この画像処理部２１３では、画像の階調を人が一般的に好ましいと感じる階調に補正する階調補正処理が実行される。ところで、携帯電話１００のような撮影機能付の携帯電話で撮影された画像データが表わす画像の階調を補正する際には、撮影に使用された携帯電話の機種に応じたパラメータを用いた処理が望ましい。そこで、この画像処理部２１３では、このような携帯電話の機種に応じたパラメータとして、撮影によって得られる画像データにおけるＲＧＢ３色それぞれの画素値と望ましい画素値とを互いに対応付ける、ＲＧＢ各色について用意されたテーブル（以下では、１Ｄテーブルと呼ぶ）が用いられて階調が補正される。
【００４９】
さらに、この画像処理部２１３では、後述するように携帯電話１００への操作によってユーザから指定された、例えばソフトフォーカス等といった観賞上の効果を狙った娯楽的な画像処理も実行される。また、この娯楽的な画像処理について、ユーザから特に指定が無い場合には、上記の階調補正処理のみが実行される。
【００５０】
ここで、この画像処理部２１３では、上記の階調補正処理に用いられる１Ｄテーブルや、上記の娯楽的な画像処理を実行するための処理プログラムが、以下説明するフラッシュメモリ２１４から読み出されて使用される。
【００５１】
モバイルプリンタ２００のフラッシュメモリ２１４には、まず工場出荷時に、携帯電話の複数の典型的な機種それぞれに対応した上記の１Ｄテーブルと、上記のような娯楽的な画像処理のうちの典型的な数種類の画像処理を実行するための処理プログラムとが格納される。また、上記の赤外線通信部２１２において、上記の画像処理に関わる各種情報として、上記の典型的な機種以外の機種に対応する新たな１Ｄテーブルや、上記の典型的な画像処理以外の画像処理を実行するための新たな処理プログラムが受信された場合には、フラッシュメモリ２１４には、これらの１Ｄテーブルや処理プログラムも格納される。
【００５２】
さらに、このフラッシュメモリ２１４には、上記の画像処理部２１３によって画像処理が施された処理済画像データも格納され、モバイルプリンタ２００において、上述の再プリントスイッチ２０２が押された時には、このフラッシュメモリ２１４から上記の処理済画像データが読み出されて再プリントが実行される。
【００５３】
モバイルプリンタ２００のプリント部２１５は、上記の処理済画像データが表わす画像をインスタントフィルム上にプリントしながら、そのインスタントフィルムをモバイルプリンタ２００の外部へ排出する。
【００５４】
次に、サーバ３００の内部構成について説明する。
【００５５】
図５に示すサーバ３００は、インターネットに接続されており、上記の携帯電話１００からは、図示しない通信会社を介してアクセスできるようになっている。このサーバ３００は、コントローラ３０１と、記憶部３０２と、送受信部３０３とを備えている。
【００５６】
サーバ３００のコントローラ３０１では、以下に説明する各要素の動作制御が実行される。
【００５７】
サーバ３００の記憶部３０２には、携帯電話１００のような、撮影機能付の携帯電話の複数の機種それぞれに対応する上記の１Ｄテーブルと、複数種類の娯楽的な画像処理それぞれを実行するための複数種類の処理プログラムとが保管されている。ここで、この記憶部３０２の内容は、携帯電話やモバイルプリンタのメーカによって適宜に更新される。これにより、新たな機種の携帯電話が市場に提供されると、その機種に対応する１Ｄテーブルが格納され、新たな画像処理の処理プログラムが市場に提供されると、その処理プログラムが格納されるようになっている。
【００５８】
サーバ３００の送受信部３０３では、上記の携帯電話１００から図示しない通信会社を介して送られてくる、記憶部３０２内の１Ｄテーブルや処理プログラムに対する読出し要求等といった情報の受信や、携帯電話１００への１Ｄテーブルや処理プログラム等といった情報の送信が実行される。また、携帯電話やモバイルプリンタのメーカによる記憶部３０２内の更新も、この送受信部３０３を介して行なわれる。
【００５９】
次に、携帯電話１００の内部構成について説明する。
【００６０】
携帯電話１００は、コントローラ１３０と、通話部１３１と、送受信部１３２と、情報取得部１３３と、記憶部１３４と、撮影部１３５と、赤外線通信部１３６と、問合せ部１３７と、操作入力部１３８と、表示部１３９と、図１および図２にも示したアンテナ１１３とを備えている。
【００６１】
ここで、撮影部１３５は、本発明にいう撮影部の一例に相当し、赤外線通信部１３６は、本発明にいう画像データ送信部と定義送信部とを兼ねた一例に相当し、また、この赤外線通信部１３６と操作入力部１３８とを合せたものは、本発明にいう指示部の一例に相当する。また、送受信部１３２と情報取得部１３３とを合せたものは、本発明にいう定義取得部の一例に相当し、赤外線通信部１３６と問合せ部１３７とを合せたものは、本発明にいう問合せ部の一例に相当する。
【００６２】
携帯電話１００のコントローラ１３０では、記憶部１３４に格納されている制御プログラムに従った各要素の動作制御が実行される。携帯電話１００に電源が供給されるとコントローラ１３０は、記憶部１３４からこの制御プログラムを読み出して動作制御を行なう。
【００６３】
この制御プログラムは、携帯電話１００を、本発明の仲介装置の一実施形態として動作させる、本発明の仲介プログラムの一実施形態に相当する。
【００６４】
以下では、携帯電話１００の各要素についての説明の前に、この制御プログラムについて別図を用いて説明する。
【００６５】
図６は、本発明の仲介プログラムの一実施形態が記憶された、図５にも示す記憶部を示す概念図である。
【００６６】
図６に示す制御プログラム４００は、通話部４１０、送受信部４２０、情報取得部４３０、撮影部４４０、赤外線取得部４５０、問合せ部４６０、操作入力部４７０、および表示部４８０で構成されている。ここで、赤外線通信部４５０は、携帯電話１００のハードウェアやＯＳと機能的に組み合わさることで本発明にいう定義送信部の一例を構築し、また、この赤外線通信部４５０と操作入力部４７０とを合せたものは、本発明にいう指示部の一例を構築する。また、同様に、送受信部４２０と情報取得部４３０とを合せたものは、本発明にいう定義取得部の一例を構築し、赤外線通信部４５０と問合せ部４６０とを合せたものは、本発明にいう問合せ部の一例を構築する。この制御プログラム４００の各部の詳細については、図５に示す本発明の仲介装置の一実施形態である携帯電話１００の各要素の作用と一緒に説明する。
【００６７】
ここで、再び図５に戻って、携帯電話１００の各要素について説明する。
【００６８】
携帯電話１００の通話部１３１は、送受信部１３２およびアンテナ１１３とともに、この携帯電話１００における電話機能を担っており、音声再生口１１２と音声入力口１２２とを有している。この通話部１３１では、アンテナ１１３と送受信部１３２とを介して取得された音声信号が音声に変換され、その音声が音声再生口１１２から出力される。また通話部１３１では、音声入力口１２２から入力された音声が音声信号に変換され、その音声信号が送受信部１３２およびアンテナ１１３を介して電波として送信される。
【００６９】
携帯電話１００の送受信部１３２では、上記の音声信号の送受信の他に、上記のサーバ３００から送られてくる１Ｄテーブルや処理プログラム等といった情報の受信や、サーバ３００に対するそれらの情報の要求等の送信が、情報取得部１３３からの指示によって行なわれる。また、本実施形態では、携帯電話１００自体の動作を制御するアプリケーションプログラムのダウンロードも、この情報取得部１３３からの指示によって行なわれる。
【００７０】
携帯電話１００の情報取得部１３３では、上記のサーバ３００の記憶部３０２内に保管されている上記の各種情報の、そのサーバ３００からの取得や、上記のアプリケーションプログラムのダウンロードが、送受信部１３２およびアンテナ１１３を介して実行される。
【００７１】
携帯電話１００の記憶部１３４には、図６に示す制御プログラム４００や、情報取得部１３３によって取得された情報や、上記のアプリケーションプログラム等が記憶される。また、この記憶部１３４には、撮影部１３５による撮影によって得られた画像データも記憶される。
【００７２】
携帯電話１００の撮影部１３５は、図２にも示したカメラ用撮影レンズ１１４と、このカメラ用撮影レンズ１１４を介して入射してくる被写体光を捉えて画像信号に変換する撮像素子１３５ａとを有しており、この撮像素子１３５ａで得られた画像信号に基づいて、被写体の画像を表わす画像データが生成される。そして、この撮影部１３５で生成された画像データは上記の記憶部１３４に記憶される。
【００７３】
携帯電話１００の赤外線通信部１３６は赤外線送受部１１５を有しており、この赤外線通信部１３６では、撮影部１３５で生成され、記憶部１３４に記憶されている画像データが、赤外線として赤外線送受部１１５から送信される。また、この赤外線通信部１３６では、以下に説明する問合せ部１３７や操作入力部１３８からの指示によってモバイルプリンタ２００との間でなされる情報のやりとりも実行される。
【００７４】
携帯電話１００の問合せ部１３７では、赤外線通信部１３６がモバイルプリンタ２００に画像データを送信する前に、そのモバイルプリンタ２００がこの携帯電話１００の機種に対応する１Ｄテーブルを有しているか否かの問い合わせが、赤外線通信部１３６を介してモバイルプリンタ２００に対して行なわれる。また、ユーザが操作入力部１３８に加えた操作によって、特定の画像処理の実行が指定された場合には、問合せ部１３７では、モバイルプリンタ２００が、指定された画像処理を表わす処理プログラムを有しているか否かの問い合わせもモバイルプリンタ２００に対して行なわれる。
【００７５】
携帯電話１００の操作入力部１３８は操作キー１２１を有しており、その操作キー１２１に加えられるユーザからの操作によって、赤外線通信部１３６から送信される画像データの指定や、指定された画像データの送信の指示や、その画像データに対する画像処理の指定や、指定された画像処理の処理内容を調整するパラメータの入力等が実行される。また、上述したアプリケーションプログラムのダウンロードの実行に対する指示も、この操作入力部１３８において行なわれる。
【００７６】
携帯電話１００の表示部１３９は表示画面１１１を有しており、撮影部１３５によって取得された画像データが表わす画像や、ユーザによる操作入力部１３８に対する操作時における各種メニューや、操作用のアイコン等が表示される。
【００７７】
以上で、モバイルプリンタ２００、サーバ３００、および携帯電話１００の内部構成についての説明を終了し、次に携帯電話１００において実行される、モバイルプリンタ２００とサーバ３００と間の、１Ｄテーブルおよび処理プログラムの仲介処理について説明する。また、以下の説明では、図１〜図６に示す要素について、特に図番を断らずに図中の符号を使って適宜に参照する。
【００７８】
図７は、図５に示す携帯電話において実行される１Ｄテーブルおよび処理プログラムの仲介処理を示すフローチャートである。
【００７９】
この図７のフローチャートが示す処理は、ユーザが、操作キー１２１を操作することによって、モバイルプリンタ２００に対して所望の画像のプリントを指示するとスタートする。
【００８０】
この処理がスタートすると、まず、モバイルプリンタ２００とサーバ３００との間における、１Ｄテーブルの仲介処理（ステップＳ１００）が実行される。
【００８１】
ここで、この１Ｄテーブルの仲介処理（ステップＳ１００）の詳細について説明する。
【００８２】
図８は、図７に示す１Ｄテーブル仲介処理を示す図である。
【００８３】
携帯電話１００において１Ｄテーブル仲介処理がスタートすると、携帯電話１００の赤外線送受部１１５を、モバイルプリンタ２００の赤外線送受部２０４に向けるよう指示するメッセージが表示画面１１１に表示される。このメッセージは以下に説明する１Ｄテーブル仲介処理が終了するまで表示される。
【００８４】
まず、この携帯電話１００の機種に対応する１Ｄテーブルを有しているか否かの問い合わせが、モバイルプリンタ２００に対して、問合せ部１３７および赤外線通信部１３６によって実行される（ステップＳ１０１）。
【００８５】
そして、その問合せに対して、モバイルプリンタ２００から赤外線通信によって回答が送られてくると（ステップＳ１０２）、その回答の内容が判定される。その回答が、携帯電話１００の機種に対応する１Ｄテーブルを有している旨を示すものであった場合には、この１Ｄテーブルの仲介処理を終了して、図７のフローチャートが示す処理に戻る。
【００８６】
一方、上記の回答が、携帯電話１００の機種に対応する１Ｄテーブルを有していない旨を示すものであった場合には、その１Ｄテーブルの送信依頼が、サーバ３００に対して、情報取得部１３３および送受信部１３２によって実行される（ステップＳ１０３）。
【００８７】
そして、サーバ３００から上記の１Ｄテーブルが送信されてくると（ステップＳ１０４）、その送信されてきた１Ｄテーブルが、モバイルプリンタ２００に対して、赤外線通信部１３６によって送信される（ステップＳ１０５）。そして、このモバイルプリンタ２００から、１Ｄテーブルの受信が全て完了した旨が赤外線通信によって通知されると（ステップＳ１０６）、この１Ｄテーブルの仲介処理を終了して、図７のフローチャートが示す処理に戻る。
【００８８】
以上に説明した１Ｄテーブルの仲介処理によれば、携帯電話１００の機種が新しい機種であり、モバイルプリンタ２００内にその新しい機種に対応する１Ｄテーブルが記憶されていなかったとしても、その１Ｄテーブルを、サーバ３００からモバイルプリンタ２００へ容易にダウンロードすることができる。
【００８９】
再び、図７に戻って説明を続ける。
【００９０】
１Ｄテーブル仲介処理（ステップＳ１００）が終了すると、続いて、所望の画像処理が有るか否かを問うメッセージがユーザに示される（ステップＳ１５０）。そして、ユーザが、操作キー１２１を操作することによって所望の画像処理が無い旨を伝えると（ステップＳ１５０におけるＮｏ判定）、次の処理（ステップＳ３００）に進む。
【００９１】
一方、ユーザが、所望の画像処理が有る旨を伝えると（ステップＳ１５０におけるＹｅｓ判定）、モバイルプリンタ２００とサーバ３００との間における、その所望の画像処理を表わす処理プログラムの仲介処理が実行される（ステップＳ２００）。
【００９２】
ここで、この処理プログラム仲介処理（ステップＳ２００）の詳細について説明する。
【００９３】
図９は、図７に示す処理プログラム仲介処理を示す図である。
【００９４】
この処理プログラム仲介処理がスタートすると、まず携帯電話１００からサーバ３００に対して、サーバ３００に現在保管されている複数の処理プログラムそれぞれが表わす画像処理の一覧が示された画像処理メニューの送信依頼がなされる（ステップＳ２０１）。そして、サーバ３００から画像処理メニューが送信されてくると（ステップＳ２０２）、その送信されてきた画像処理メニューが表示画面２１１に表示される（ステップＳ２０３）。
【００９５】
そして、この画像処理メニューの中から所望の画像処理を選択する旨を促すメッセージがユーザに示され、そのメッセージに従った画像処理の選択が、ユーザによってなされる（ステップＳ２０４）。ここで、本実施形態では選択される画像処理は１種類であっても良く、あるいは複数種類であっても良い。
【００９６】
図１０は、表示画面に表示される画像処理メニュー表示される画像処理メニューの一例を示す図である。
【００９７】
図１０には、観賞時の視覚的な効果を狙って画像を意図的にぼやけさせるソフトフォーカス１１１ａ、観賞時の視覚的な効果を狙って画像の縦横比を変更するスリム化１１１ｂ、および観賞時の視覚的な効果を狙って全画像中のプリントする画像領域を指定するトリミング１１１ｃといった３種類の画像処理からなる画像処理メニューが示されている。本実施形態では、ユーザは、操作キー１２１を操作することによって、各画像処理に付された番号１１１ｄから所望の画像処理に付された番号を選択する。
【００９８】
再び、図９に戻って処理プログラム仲介処理の説明を続ける。
【００９９】
ステップＳ２０４の処理によってユーザによる画像処理の選択が終了すると、選択された画像処理を表わす処理プログラムを有しているか否かの問い合わせが、モバイルプリンタ２００に対して、問合せ部１３７および赤外線通信部１３６によって実行される（ステップＳ２０５）。ここで、このステップＳ２０５の処理から、この処理プログラム仲介処理の終了までの間は、携帯電話１００の赤外線送受部１１５を、モバイルプリンタ２００の赤外線送受部２０４に向けるよう指示するメッセージが表示画面１１１に表示される。
【０１００】
ステップＳ２０５によってなされる問合せに対して、モバイルプリンタ２００から赤外線通信によって回答が送られてくると（ステップＳ２０６）、その回答の内容が判定される。その回答が、問合せのあった画像処理を表わす処理プログラムを有している旨を示すものであった場合には、この処理プログラム仲介処理（ステップＳ２００）を終了して、図７のフローチャートが示す処理に戻る。
【０１０１】
一方、上記の回答が、問合せのあった画像処理を表わす処理プログラムを有していない旨を示すものであった場合には、その処理プログラムの送信依頼が、サーバ３００に対して、情報取得部１３３および送受信部１３２によって実行される（ステップＳ２０７）。
【０１０２】
そして、サーバ３００から上記の処理プログラムが送信されてくると（ステップＳ２０８）、その送信されてきた処理プログラムが、モバイルプリンタ２００に対して、赤外線通信部１３６によって送信される（ステップＳ２０９）。そして、このモバイルプリンタ２００から、処理プログラムの受信が全て完了した旨が赤外線通信によって通知されると（ステップＳ２１０）、この処理プログラム仲介処理を終了して、図７のフローチャートが示す処理に戻る。
【０１０３】
以上に説明した処理プログラム仲介処理によれば、ユーザによって選択された画像処理が、例えば新しく開発された処理であって、モバイルプリンタ２００内にその新しい画像処理を表わす処理プログラムが記憶されていなかったとしても、その処理プログラムを、サーバ３００からモバイルプリンタ２００へ容易にダウンロードすることができる。
【０１０４】
再び、図７に戻って説明を続ける。
【０１０５】
処理プログラム仲介処理（ステップＳ２００）が終了すると、続いて、ユーザが選択した画像処理について、さらに、その画像処理の処理内容を調整するパラメータの入力を促すパラメータ入力画面が表示画面１１１に表示され、ユーザによるそのパラメータの入力が実行される（ステップＳ２５０）。
【０１０６】
図１１は、パラメータ入力画面の一例を示す図である。
【０１０７】
図１１には、上記のパラメータ入力画面の一例として、画像をどの程度ぼやかすかというソフトフォーカスの強度を示すパラメータの入力を促すパラメータ入力画面が示されている。図１１の例では、５段階の強度の中から所望の強度をユーザに選ばせるようになっている。ユーザは、各段階を表わす番号１１１ｅの中から、操作キー１２１を操作することによって所望の強度を表わす番号を選択する。本実施形態では、他の２種類の画像処理（スリム化，トリミング）についても、上記のソフトフォーカスと同様に、処理の程度を示す番号を選択するようになっている。
【０１０８】
再び、図７に戻って説明を続ける。
【０１０９】
ステップＳ２５０の処理によってパラメータの入力が終了すると、携帯電話１００の赤外線送受部１１５を、モバイルプリンタ２００の赤外線送受部２０４に向けるよう指示するメッセージが表示画面１１１に表示され、今回、モバイルプリンタ２００においてプリントされる画像を表わす画像データが、赤外線通信部１３６によってモバイルプリンタ２００に送信される（ステップＳ３００）。また、表示画面１１１には、ステップＳ３００の処理以降、この図７のフローチャートが示す処理が終了するまで上記のメッセージが表示され続ける。
【０１１０】
この画像データの送信が終了すると、ステップＳ１５０〜ステップＳ２００の処理によって、ユーザが所望の画像処理を指定したか否かが判定される（ステップＳ３５０）。ユーザが所望の画像処理を指定していた場合（ステップＳ３５０におけるＹｅｓ判定）、モバイルプリンタ２００に対して、今回送信された画像データに、ユーザが指定した画像処理を施すように赤外線通信部１３６から指示される（ステップＳ４００）。一方、ユーザが所望の画像処理を指定していなかった場合（ステップＳ３５０におけるＮｏ判定）には、次の処理（ステップＳ４５０）に進む。
【０１１１】
ステップＳ４５０の処理では、モバイルプリンタ２００に対して、画像をプリントするように赤外線通信部１３６から指示される（ステップＳ４５０）。このステップＳ４５０の処理の終了をもって、図７のフローチャートが示す処理は終了する。
【０１１２】
ここで、図７のフローチャートが示す処理が終了し、モバイルプリンタ２００に対して画像のプリントが指示されると、まずユーザから所望の画像処理が指定されていた場合には、画像データに対して、その所望の画像処理と、図７および図８に示す１Ｄテーブル仲介処理でモバイルプリンタ２００に送信された１Ｄテーブルを用いた階調補正処理とが施される。一方、ユーザから画像処理が特に指定されていなかった場合には、モバイルプリンタ２００では、画像データに上記の階調補正処理のみが施される。
【０１１３】
図１２は、モバイルプリンタで実行される画像処理の一例を示す、処理ブロック図である。
【０１１４】
この図１２には、ユーザから所望の画像処理として、図１０に示す３種類の処理全てが指定されていた場合にモバイルプリンタ２００で実行される画像処理が示されている。
【０１１５】
この画像処理では、まず、未処理の画像データに対して、トリミングおよびスリム化という２種類の処理が施され、さらにモバイルプリンタ２００にセットされているインスタントフィルムのサイズに応じた、画像の拡大／縮小処理が実行される（ステップＳ５０１）。
【０１１６】
次に、このステップＳ５０１の処理を経た画像データについて、その画像データが表わす画像の階調に関する画像解析が実行され、その画像の現在の階調を表わす階調パラメータが求められる（ステップＳ５０２）。さらに、このステップＳ５０２の処理によって求められた階調パラメータと、図７に示す１Ｄテーブル仲介処理（ステップＳ１００）によって得た１Ｄテーブルとを用いた、階調パラメータが表わす現在の階調を好ましい階調へと変換する階調補正処理が、上記のステップＳ５０１の処理を経た画像データに施される（ステップＳ５０３）。さらに、この階調補正処理（ステップＳ５０３）を経た画像データに、背景に対する被写体の輪郭を所定程度に明瞭にするシャープネス処理と、ソフトフォーカスとが施される（ステップＳ５０４）。そして、このステップＳ５０４の処理を経た処理済みの画像データに基づいて、その画像データが表わす、階調が好ましい階調に補正され、さらにユーザが指定した３種類の画像処理が施された画像がインスタントフィルム上にプリントされる。
【０１１７】
以上に説明したように、本実施形態の携帯電話１００によれば、その携帯電話１００で得られた画像データに対して、処理プログラムで表わされる画像処理や、携帯電話１００の機種に応じた１Ｄテーブルを用いた階調補正処理を施すモバイルプリンタ２００と、そのような処理プログラムや１Ｄテーブル等といった情報の保管元であるサーバ３００との間で、それらの情報の仲介作業を、一般ユーザに煩わしさを感じさせることなく手軽に実行することができる。
【０１１８】
尚、上記では、本発明にいうデータ生成装置の一例として、撮影機能を備えた携帯電話１００を挙げて説明したが、本発明にいうデータ生成装置はこれに限るものではなく、例えば、通信機能を備えたデジタルカメラや、撮影機能を備えたモバイルコンピュータ等であってもよい。
【０１１９】
また、上記では、本発明にいうパラメータ取得部の一例として、モバイルプリンタ２００が携帯電話１００の機種に対応した１Ｄテーブルを有していなかった場合に、サーバ３００からその１Ｄテーブルを取得するという例を挙げて説明したが、本発明はこれに限るものではない。本発明にいうパラメータ取得部は、例えば、携帯電話１００の自体の動作を制御するアプリケーションプログラムをダウンロードする際に、そのアプリケーションプログラムと一緒に上記の１Ｄテーブルを取得するもの等であっても良い。この場合、取得された１Ｄテーブルは携帯電話１００の記憶部１３４に格納され、モバイルプリンタ２００がこの１Ｄテーブルを有していなかった場合には、この１Ｄテーブルは上記の記憶部１３４から読み出されてモバイルプリンタ２００に送信される。
【０１２０】
また、上記では、本発明にいう処理プログラムの一例として、ソフトフォーカス、スリム化、およびトリミングといった３種類の画像処理それぞれを表わす処理プログラムを挙げたが、本発明はこれに限るものではない。本発明にいう処理プログラムは、例えば、人物の顔にあるシワやシミ等を、それらシワやシミ等の周辺の画像を用いて除去する画像処理や、人物の頭髪の色を所望の色に変更する画像処理等であってもよい。
【図面の簡単な説明】
【０１２１】
【図１】本発明の一実施形態である携帯電話の、表面を示す斜視図である。
【図２】本発明の一実施形態である携帯電話の、裏面を示す斜視図である。
【図３】モバイルプリンタを、斜め前方から見た斜視図を、図１および図２にも示す携帯電話とともに示す図である。
【図４】図３にも示すモバイルプリンタから、インスタントフィルム上に画像がプリントされながら、そのインスタントフィルムが排出される様子を示す図である。
【図５】図１および図２に示す携帯電話の内部構成を、図３および図４に示すモバイルプリンタや、モバイルプリンタで実行される画像処理に関わる情報が保管されるサーバの簡易的な構成とともに示すブロック図である。
【図６】本発明の制御プログラムの一実施形態が記憶された、図５にも示す記憶部を示す概念図である。
【図７】図５に示す携帯電話において実行される１Ｄテーブルおよび処理プログラムの仲介処理を示すフローチャートである。
【図８】図７に示す１Ｄテーブル仲介処理を示す図である。
【図９】図７に示す処理プログラム仲介処理を示す図である。
【図１０】表示画面に表示される画像処理メニュー表示される画像処理メニューの一例を示す図である。
【図１１】パラメータ入力画面の一例を示す図である。
【図１２】モバイルプリンタで実行される画像処理の一例を示す、処理ブロック図である。
【符号の説明】
【０１２２】
１００    携帯電話
１１０    上部
１１１    表示画面
１１１ａ    ソフトフォーカス
１１１ｂ    スリム化
１１１ｃ    トリミング
１１１ｄ，１１１ｅ    番号
１１２    音声再生口
１１３    アンテナ
１１４    カメラ用撮影レンズ
１１５    赤外線送受部
１２０    下部
１２１    操作キー
１２２    音声入力口
１３０    コントローラ
１３１    通話部
１３２    送受信部
１３３    情報取得部
１３４    記憶部
１３５    撮影部
１３５ａ    撮像素子
１３６    赤外線通信部
１３７    問合せ部
１３８    操作入力部
１３９    表示部
２００    モバイルプリンタ
２１１    コントローラ
２１２    赤外線通信部
２１３    画像処理部
２１４    フラッシュメモリ
２１５    プリント部
３００    サーバ
３０１    コントローラ
３０２    記憶部
３０３    送受信部
【図１】
2005339235.tif 000003
【図２】
2005339235.tif 000004
【図３】
2005339235.tif 000005
【図４】
2005339235.tif 000006
【図５】
2005339235.tif 000007
【図６】
2005339235.tif 000008
【図７】
2005339235.tif 000009
【図８】
2005339235.tif 000010
【図９】
2005339235.tif 000011
【図１０】
2005339235.tif 000012
【図１１】
2005339235.tif 000013
【図１２】
2005339235.tif 000014